(57)【要約】      （修正有）【課題】直接、タービンノズルに装着して、スケールを除去すると共にタービンの出力を維持し、設備コストも抑制できて稼働率の向上を図った、地熱発電システムを提供する。【解決手段】地熱による熱水を地上まで導いて熱水から分離された蒸気により作動するタービンと、タービンに接続される発電機とを具備する地熱発電システムにおいて、タービンは、ローターシャフト側に配置された複数の動翼２６と、ケーシング側に動翼２６と交互に対向配置した複数のノズル翼と、ノズル翼のうちの、少なくとも初段のノズル翼外周面を、摺動可能に被覆するカバーノズル３０と、を備えた。【選択図】図３
2014125964.tif 000002
【特許請求の範囲】
【請求項１】
地熱による熱水を地上まで導いて該熱水から分離された蒸気により作動するタービンと、該タービンに接続される発電機とを具備する地熱発電システムにおいて、
前記タービンは、ローターシャフト側に配置した複数の動翼と、
ケーシング側に前記動翼と交互に対向配置した複数のノズル翼と、
該ノズル翼のうちの、少なくとも初段のノズル翼外周面を、摺動可能に被覆するカバーノズルと、
を備えたことを特徴とする地熱発電システム。
【請求項２】
前記初段ノズル翼は、前記カバーノズルを受け止めるストッパを備えたことを特徴とする請求項１に記載の地熱発電システム。
【請求項３】
前記カバーノズルは、前記初段ノズル翼の高さに比較して小とし、少なくとも前記初段ノズル翼の外周を高さ方向全域にわたって摺擦可能としたことを特徴とする請求項１に記載の地熱発電システム。
【請求項４】
前記カバーノズルは、被覆すべきノズル翼と異なるノズルプロファイルとなるように構成されている、ことを特徴とする請求項１から３のいずれか１項に記載の地熱発電システム。
【請求項５】
前記カバーノズルは、前記ノズル翼におけるスケール付着部位を被覆するものである、ことを特徴とする請求項１から４のいずれか１項に記載の地熱発電システム。
【請求項６】
前記カバーノズルは、被覆すべきノズル翼と異なるノズルプロファイルとなるように部分的に前記ノズル翼を被覆するものである、ことを特徴とする請求項１から３のいずれか１項に記載の地熱発電システム。
【請求項７】
前記カバーノズルは、多段に亘るノズル翼に対しそれぞれ設けられ、作動環境に対応して外形形状を選択可能としている、ことを特徴とする請求項１から４のいずれか１項に記載の地熱発電システム。
【発明の詳細な説明】
【技術分野】
【０００１】
本発明は、地熱蒸気生産井より得られた蒸気が供給されて仕事をする地熱発電用蒸気タービンの発電システム、すなわち、地熱発電用蒸気タービンに付着堆積したスケールを除去する、地熱発電システムに関するものである。
【背景技術】
【０００２】
近年、原発からの脱却への要望と、さらには、ＣＯ２削減の要請から、自然エネルギーの利用の拡充が叫ばれ、そのうちの一つとして地熱エネルギーの利用がますます脚光を浴びつつある。
地熱エネルギーの利用は、火力プラントなどのＣＯ２を排出する電源の抑制につながるため、環境保全の観点からもさらなる拡大が望まれている。そのために、地熱発電システムの、プラント性能と稼働率の向上を図ることは、地球環境保護の観点からも推進すべき重要課題であるといえる。
【０００３】
地熱発電システム１は、例えば図１９に示すように、地下深部の熱源により熱水を発生する生産井２と、生産井２から地上まで導いて沸騰した熱水を、蒸気と分離させるセパレータ３を具備する。
また地熱発電システム１は、セパレータ３で分離された熱水を戻す還元井４と、分離された蒸気により回転するタービン５と、タービン５に接続の発電機６とを具備する。
さらに、地熱発電システム１は、タービン５を通過した蒸気を温水化する復水器７と、温水を冷却する冷却塔８とを具備する。
また、図２０に地熱発電システム１に用いられるタービン５としての蒸気タービンの一例を示す。
この蒸気タービン５は、例えば、周知の軸流式蒸気タービンであり、ローターシャフト５ａ側に動翼５ｂとケーシング５ｃ側に固定された静翼（ノズル）５ｄとが、多段的に交互に対向するように列設されている。ローターシャフト５ａには、発電機６のロータが連結されている。セパレータ３からの蒸気は、蒸気入口から初段ノズル５ｄを通じて導入され、多段の動翼５ｂ、静翼５ｄ間を通過して蒸気排出口から放出され、動翼５ｂが回転してローターシャフト５ａを回し、発電機６のロータを回して、電力を取り出すようになっている。
【０００４】
ところで、生産井から噴出する高温の熱水は、井戸水や河川水よりもカルシウムや溶存シリカを多く含むため、炭酸カルシウムや非晶質シリカなどのスケールを析出しやすい。特に地上部や還元井では、熱水が地上部で温度降下することにより発生するシリカスケールを抑制することが課題である。
【０００５】
これまで、地熱発電用蒸気タービンのノズル（特に、初段ノズル）に付着堆積したスケールを除去するものとしては、たとえば、特許文献１に開示されるように、ノズルの表面から、隣接するノズルに付着堆積したスケールに向けて高圧水を噴出させるものがある。
【０００６】
また、特許文献２に示すように、タービン内に配置されたノズルまたはブレードに対し、表面に向けて蒸気を噴射し、ノズルまたはブレード表面に付着堆積したスケールを除去することが提案されている。
【０００７】
さらに、特許文献３に示すように、地熱熱水中の懸濁物質を回収するために、内部を部分的に区画し流路を設けたタンクに熱水を導入し、このタンクの上部に設けた容器にタンクからの横溢水を集水するとともに、タンクの下部に沈殿した物質を容器に送給し、かつこの容器内の熱水を蒸発させる一方、容器内の熱水の一部をタンクに返送するとしている。
この場合において、タンクに熱水を導入して所定時間滞留させて、熱水中の懸濁物質を沈降または浮上分離させ、これをタンクの下部または上部から沈殿した物質または横溢水の形態で容器に送り、この容器内の熱水を蒸発・濃縮するとともに、この濃縮された懸濁物質を熱水シードとしてタンクに返送し、地熱熱水中に含有するシリカ等の懸濁物質の結晶核成長促進およびまたは結晶粒数を増加させ、一層タンク内の懸濁物質の沈降または浮上分離を促すとしている。
【先行技術文献】
【特許文献】
【０００８】
【特許文献１】特開昭６０−６９２１４号公報
【特許文献２】特開２００５−２２０８５０号公報
【特許文献３】特許第３３０３８０４号公報
【発明の概要】
【発明が解決しようとする課題】
【０００９】
しかしながら、上記特許文献１のものでは、隣接するノズルに付着したスケールに向けて高圧水が噴出させられるものでは、タービン内部に水滴が飛来して、エロージョン（浸食）が起こるおそれがある。
また、特許文献２によれば、蒸気を用いることで、エロージョンを引き起こすことなく、スケール除去作業を行うことができ、特許文献１で問題となる課題は解決された。
これらスケール除去作業は、直接流体をスケール生成箇所に作用させるものであり、流体を噴射する構成は必須のものとなっている。
さらには、特許文献３では、地熱熱水を一旦、集水するタンク他、容器等、配管などの設備が必要であり、タービンまで蒸気を導くまでの熱水処理系統の複雑化を招き、設置スペースの拡大化、設備コストの上昇を招いている。
本発明は、以上のような課題を改善するために提案されたものであって、機械的に、タービンなどへ付着するスケールを絶えず成長しないように作用させて、タービンの出力を維持し、設備コストも抑制できて稼働率の向上を図った、地熱発電システムを提供することを目的とする。
【課題を解決するための手段】
【００１０】
上記課題を解決するために、請求項１にかかる発明では、地熱による熱水を地上まで導いて熱水から分離された蒸気により作動するタービンと、タービンに接続される発電機とを具備する地熱発電システムにおいて、タービンは、ローターシャフト側に配置した複数の動翼と、ケーシング側に動翼と交互に対向配置した複数のノズル翼と、ノズル翼のうちの、少なくとも初段のノズル翼外周面を、摺動可能に被覆するカバーノズルと、を備えたことを特徴とする。
【００１１】
これにより、初段ノズル翼の表面に付着堆積したスケールを除去するのに、初段ノズル翼外周面に、カバーノズルを摺動昇降させることで、ノズルの閉塞除去、表面清浄による効率向上が得られる。
【００１２】
また、請求項２にかかる発明では、初段ノズル翼は、カバーノズルを受け止めるストッパを備えたことを特徴とする。
【００１３】
これにより、カバーノズルを下降させる際に、ノズル翼にカバーノズルが当たるようなことがあっても、ノズル翼の損傷を回避することができる。
【００１４】
また、請求項３にかかる発明では、カバーノズルは、初段ノズル翼の高さに比較して小とし、少なくとも初段ノズル翼の外周を高さ方向全域にわたって摺擦可能としたことを特徴とする。
【００１５】
カバーノズルは、初段ノズル翼の外周を高さ方向全域にわたって摺擦可能なものであれば、必ずしも、初段ノズル全体に亘って、被覆する大きさのものである必要はない。
【００１６】
また、請求項４にかかる発明では、カバーノズルは、被覆すべきノズル翼と異なるノズルプロファイルとなるように構成されている、ことを特徴とする。
【００１７】
これにより、ノズル翼を、ノズルカバーにより異なるノズルプロファイルとなるようにしたので、例えば、部分負荷時にノズルカバーによりノズル翼を被覆した状態で運転し、定常時にノズル翼からノズルカバーを離脱させた状態で運転すれば、タービン効率が向上する。
【００１８】
また、請求項５にかかる発明では、カバーノズルは、ノズル翼におけるスケール付着部位を被覆するものである、ことを特徴とする。
【００１９】
これにより、ノズル翼のうち、スケール付着部位のみを被覆するノズルカバーを昇降すれば、効率的にスケールを除去することができる。
【００２０】
また、請求項６に記載の発明では、カバーノズルは、被覆すべきノズル翼と異なるノズルプロファイルとなるように部分的にノズル翼を被覆するものである、ことを特徴とする。
【００２１】
これにより、カバーノズルにより、ノズル翼を部分的に被覆することで、ノズル翼と異なるノズルプロファイルとすることができる。
【００２２】
さらに、請求項７に記載の発明では、カバーノズルは、多段に亘るノズル翼に対しそれぞれ設けられ、作動環境に対応して外形形状を選択可能としている、ことを特徴とする。
【００２３】
これにより、様々な運転条件でタービンを駆動することができる。
【発明の効果】
【００２４】
本発明によれば、スケールが付着しやすい初段ノズルの表面に対し、カバーノズルで初段ノズル翼外周面を摺動状態で昇降させる機械的な手段で、ノズルの閉塞除去、表面清浄化を達成することができる。
これまでのような流体を噴射することで行ってきたスケール除去手段と比較して、設備を簡略化することができ、設備コストの抑制をすることができる。
また、カバーノズルによって、タービンを地熱蒸気の性状など、作動環境に合った運転状況を作り出すことができ、無駄のない自在な発電システムとすることができる。
【図面の簡単な説明】
【００２５】
【図１】本発明による地熱発電システムの全体系統説明図である。
【図２】図１に示す地熱発電システムに用いられる蒸気タービンの一例を示す、要部断面説明図である。
【図３】図２に示す蒸気タービンにおけるノズル翼および動翼に用いられるカバーノズルの第１実施形態を示す、模式的な断面説明図である。
【図４】図３に示すノズル翼および動翼と、カバーノズルの配置状態を示した、断面説明図である。
【図５】蒸気タービンにおけるノズル翼および動翼に用いられるカバーノズルの第２実施形態を示す、模式的な断面説明図である。
【図６】図５に示すカバーノズルの駆動機構を示した模式的説明図である。
【図７】蒸気タービンにおけるノズル翼および動翼に用いられるカバーノズルの第３実施形態を示す、模式的な断面説明図である。
【図８】図７に示すカバーノズルの格納状態を示した模式的な断面説明図である。
【図９】蒸気タービンにおけるノズル翼および動翼に用いられるカバーノズルの第４実施形態を示す、模式的な断面説明図である。
【図１０】蒸気タービンにおけるノズル翼および動翼と、第５実施形態にかかるカバーノズルの配置状態を示した、断面説明図である。
【図１１】蒸気タービンにおけるノズル翼および動翼に用いられるカバーノズルの第６実施形態を示す、模式的な断面説明図である。
【図１２】蒸気タービンにおけるノズル翼および動翼に用いられるカバーノズルの種々のカバーノズルによるエネルギーロス係数比とマッハ数出力との関係の比較を説明するグラフである。
【図１３】（ａ）カバーノズルのプロファイルのモデルの一例を示すモデル、（ｂ）カバーノズルのプロファイルのモデルの別例を示すモデル、（ｃ）カバーノズルのプロファイルのモデルの別例を示すモデル、（ｄ）カバーノズルのうちの先細−末広ノズルの一例を示すモデルである。
【図１４】ノズル翼に被覆するカバーノズルの第７実施形態を示す断面図である。
【図１５】（ａ）カバーノズルの昇降駆動機構の一例を示す模式図、（ｂ）カバーノズルの昇降駆動機構の一例を示す模式図
【図１６】（ａ）カバーノズルの構造の一例を示す模式図、（ｂ）カバーノズルの構造の別例を示す模式図、
【図１７】（ａ）カバーノズルの昇降駆動機構の動作状態にある一例を示す模式図、（ｂ）カバーノズルの昇降駆動機構の動作状態の停止状態にある一例を示す模式図である。
【図１８】従来の地熱発電システムを示す、概略系統説明図である。
【図１９】図１８に示す地熱発電システムに用いられる蒸気タービンの一例を示した、要部断面図である。
【発明を実施するための形態】
【００２６】
以下、本発明にかかる地熱発電システムの一実施形態を挙げ、添付の図面に基づいて説明する。
図１に、地熱発電システム１０を示す。
この地熱発電システム１０は、地下深部の熱源により高温高圧の熱水を発生する生産井１１と、高温高圧の熱水を地上まで導いて沸騰した熱水を、蒸気と分離させるセパレータ１２と、セパレータ１２で分離された熱水を戻す還元井１３と、分離された蒸気により作動するタービン１４と、タービン１４に接続された発電機１５と、タービン１４を通過した蒸気を温水化する復水器１６と、温水を冷却する冷却塔１７とを具備する。
【００２７】
生産井１１からセパレータ１２へは、熱水取出し流路１８を通じて熱水が取り出される。熱水取出し流路１８には流量調節弁１９が介在される。
【００２８】
セパレータ１２は例えばサイクロン型気水分離器であり、セパレータ容器上部側に蒸気、容器下部側に熱水を集めることで熱水から蒸気を分離するようにしている。セパレータ１２で分離された蒸気は蒸気流路２０を通じてタービン１４に送り込まれるようになっている。
なお、セパレータ１２の容器下部側に集められた熱水は、還流路２１を通じて還元井１３に戻されるようになっている。
【００２９】
タービン１４は、詳細は後述するが、例えば周知の軸流式蒸気タービン１４が可能である。
【００３０】
復水器１６は、タービン１４を通過した蒸気を凝縮して温水化するもので、ここでは復水器１６は、蒸気を凝縮するために冷却塔１７で冷却された水を用いるようにしている。
【００３１】
冷却塔１７には、復水器１６からの温水が、復水流路２２を通じて介在されるポンプ２３により導入されるようになっている。
冷却塔１７は、復水器１６からの温水を、冷却塔１７内で送風機２４により強制的に送り込んだ外気と接触させて冷却するようにしている。このとき、復水は一部が蒸発することで、蒸発のための潜熱で温水は、さらに効果的に冷却される。また、冷却塔１７に充填剤を配設して復水を通過させることで、外気と接触させる時間を長くして冷却するようにしてもよい。
【００３２】
次に、蒸気タービン１４について、図２に要部を示し、以下、説明する。
蒸気タービン１４は、ローターシャフト２５側に突設された動翼２６とケーシング２７側に固定されたノズル翼２８とが、多段的に交互に対向するように列設される構成としている。
かかる蒸気タービン１４において、蒸気は、蒸気入口２９から、ノズル翼２８のうち、蒸気入口２９寄りの初段ノズル翼２８ａを通じて導入され、多段の動翼２６、ノズル翼２８間を通過して蒸気排出口（図示省略）から放出される構成としている。
【００３３】
そしてノズル翼２８のうち、少なくとも初段ノズル翼２８ａに対し、初段ノズル翼２８ａ外周面を摺動状態で、定期的に昇降可能に被覆するスケール除去用の第１実施形態にかかるカバーノズル３０が設けられている（図３、図４参照）。
【００３４】
第１実施形態にかかるカバーノズル３０は、中空状部材で、内面空間が、初段ノズル翼２８ａの外周面に沿って摺動状態で、初段ノズル翼２８ａに嵌合可能な寸法としている。
かかるカバーノズル３０は、非使用時には、初段ノズル翼２８ａを固定するケーシング２７に格納可能に構成されている。
なお、カバーノズル３０は適宜な駆動機構（後述）によって昇降可能に構成されている。
【００３５】
第１実施形態にかかるカバーノズル３０は以上のように構成されるので、初段ノズル翼２８ａ外周面に、カバーノズル３０を定期的に摺動昇降させることで、初段ノズル翼２８ａの表面に付着堆積したスケールを効果的に除去することができる。すなわち、カバーノズル３０を定期的に摺動昇降させることで、初段ノズル翼２８ａの表面に付着堆積したスケールが成長して固まらないうちに効果的に削り落とすことができる。
これにより、地熱熱水から分離した蒸気に、さまざまなカルシウムや溶存シリカなどの夾雑物に起因するスケールを効果的に除去することができる。
このように、定期的にカバーノズル３０を作用させてスケールを除去することができるので、これまでのように運転を停止してタービンの清掃作業などメインテナンスのための作業を省くことができ、タービンの能力を落とすことなく、地熱発電システム１０の稼働率の向上を図ることができる。
【００３６】
本発明にかかる地熱発電システムは、以下の第２実施形態によっても実施することができる。
第２実施形態では、蒸気タービン１４の蒸気入口２９寄りの初段ノズル翼２８ａに設けられるカバーノズル３０に対し、カバーノズル３０を収容するケーシング２７に、カバーノズル３０を受け止めるストッパ４０を備えたものである（図５参照）。
すなわち、第２実施形態では、ストッパ４０は、カバーノズル３０の胴部３０ａの横方向の寸法と略同寸法の開口寸法を有し、頂部側に胴部３０ａの横方向寸法に比較して大きい受部３０ｂを設けている。
ストッパ４０は、カバーノズル３０の胴部３０ａを自在に昇降可能としており、カバーノズル３０の頂部の受部３０ｂがストッパ４０に当たることで、それ以上、カバーノズル３０が下降しないように支持している。
【００３７】
また第２実施形態では、カバーノズル３０を収容するケーシング２７に昇降可能に駆動する適宜な昇降駆動機構（例えば油圧式、ｏｒ電磁式、図示省略）が設けられている。また、カバーノズル３０を収容するケーシング２７には、カバーノズル３０をケーシング２７内に収容時、カバーノズル３０の頂部の受部３０ｂが係止して下降しないように支持する誤動作防止ストッパ４１が受部３０ｂに対して突没可能に設けられている（図６参照）。
【００３８】
以上のような第２実施形態によれば、カバーノズル３０を、ケーシング２７の収容部から下降する際に、カバーノズル３０は、胴部３０ａがストッパ４０を自在に下降して、カバーノズル３０の頂部の受部３０ｂがストッパ４０に当たることで、それ以上、カバーノズル３０が下降しないように支持される。このため、ノズル翼２８ａにカバーノズル３０が当たることはなく、ノズル翼２８ａの損傷を回避することができる。
【００３９】
本発明にかかる地熱発電システムは、以下の第３実施形態によっても実施することができる。
すなわち、第３実施形態では、カバーノズル３０は、初段ノズル翼２８ａの高さに比較して小とし、少なくとも初段ノズル翼２８ａの外周を高さ方向全域にわたって摺擦可能とすることができる（図７参照）。
ここでのカバーノズル３０は、内周面が初段ノズル翼２８ａの外周面と接触状態で昇降可能な形状寸法の環状部材からなる。
なお、ノズル翼と動翼との配置関係は前述の実施形態と同様であり、ここでは図示および説明を省略する。
【００４０】
以上のような第３実施形態において、定常運転時には、カバーノズル３０をケーシング２７の収容部に収容した状態で運転を行うことができる（図８参照）。
これにより、蒸気タービン１４には、本来の蒸気の流れがもたらされ、蒸気タービン１４は本来の能力を発揮した運転を行うことができる。
そして、所定期間の間、定常運転の実行後、初段ノズル翼２８ａにスケールが形成され始める。ここで昇降駆動機構によって、カバーノズル３０を初段ノズル翼２８ａの外周面と接触状態で下降させることで、初段ノズル翼２８ａ表面のスケールを掻き落とすことができる。
【００４１】
なお、カバーノズル３０は、初段ノズル翼２８ａの外周を高さ方向全域にわたって摺擦可能なものであれば、第４実施形態として、図９に示すようにカバーノズル３０は、ワイヤーや針金状の部材も可能である。
【００４２】
また、本発明は、以下の第５実施形態のように実施することもできる。
カバーノズル３０は、被覆すべきノズル翼２８と異なるノズルプロファイルとなるように構成することもできる。この場合、カバーノズル３０は、ノズル翼２８外周に倣って均一厚さに構成されたのではなく、肉厚を図１０に示しているように場所によって変化させている。
【００４３】
これにより、ノズル翼２８を上記のカバーノズル３０で被覆した際に、ノズル翼２８の断面形状が変わり、ノズル翼および動翼群を通過する蒸気の流量が変化する。このように、カバーノズル３０でノズルプロファイルを変化させることができるので、カバーノズル３０の肉厚が異なるものを用意すれば、様々な蒸気流量に調節することができ、所望の運転モードに合うように調整することができる。
【００４４】
例えば、夜間においては、蒸気の流量を落とすために、肉厚の異なるカバーノズル３０を下降させて、ノズル翼２８をカバーノズル３０で覆う。これにより、ノズル翼および動翼群を通過する蒸気の流量が抑えられ、タービンの出力を抑えることができ、出力電力を抑制することができる。
【００４５】
一方、昼間にあっては、カバーノズル３０をケーシング２７の収容部に戻した状態で運転を行う。これにより、蒸気タービン１４には、本来の蒸気の流れがもたらされ、蒸気タービン１４は本来の能力を発揮した運転を行うことができる。
【００４６】
さらに、定常運転の実行後、初段ノズル翼２８ａにスケールが形成され始めると、昇降駆動機構によって、カバーノズル３０を初段ノズル翼２８ａの外周面と接触状態で下降させることで、初段ノズル翼２８ａ表面のスケールを掻き落とすことができる。
【００４７】
また、本発明は、以下の第６実施形態のように実施することもできる。
カバーノズル３０は、図１１に示すように、ノズル翼２８におけるスケール付着部位のみを被覆する部分カバーノズル３０ｐとすることができる。
【００４８】
これにより、ノズル翼２８のうち、スケール付着部位のみを被覆するノズルカバー３０を昇降すれば、効率的にスケールを除去することができる。
そしてこのようにカバーノズル３０が部分的なものであっても、ノズルプロファイルは自在に変えることができるので（図１２、図１３ａ〜１３ｄ参照）、作動条件に合わせたものとすることができる。
【００４９】
また、本発明は、以下の第７実施形態のように実施することもできる。
ここでは、カバーノズル３０は、複数種類あってもよい。例えば図１４では、ノズル翼２８に部分カバーノズル３０ｐと全体のカバーノズル３０とを被覆して作動条件（高負荷、中負荷、低負荷）に対応したものとすることができる。
これにより、部分負荷でのタービンの性能が向上する。
【００５０】
以上、本発明について種々の実施形態を挙げ、説明した。
ここで、カバーノズル３０の昇降駆動機構５０について例を挙げ、説明する。
カバーノズル３０の昇降駆動機構５０としては、制御系が油圧制御とした場合、動作ポジションが、カバーノズル３０がケーシング２７側に収納された状態と、カバーノズル３０が、ノズル翼２８に対し、全て覆う状態とする設定とする（図１５ａ、図１５ｂ参照）。駆動機構自体はギヤ機構かあるいはベルト駆動機構が可能である。勿論、モータ制御も可能である。
カバーノズル３０が、部分的に覆う環状部材であっても、動作ポジションが、カバーノズル３０がケーシング２７側に収納された状態と（図１６ａ参照）、カバーノズル３０が、ノズル翼２８下端部に下降させた状態（図１６ｂ参照）と設定することができる。
さらに、図１７ａ、図１７ｂに示すカバーノズル３０においても、油圧制御機構において、動作ポジションは、油圧シリンダが伸長した状態と、退動した状態と設定することができる。
【産業上の利用可能性】
【００５１】
本発明は、様々な規模の、さらには、様々な方式の地熱発電システムに適用可能である。
また、本発明におけるカバーノズルの構造は、地熱発電用のタービンに係わらず、タービン作動条件が変化する製品（例えばターボチャージャのタービン、水中航走体に用いられるタービン）等に適用可能である。
【符号の説明】
【００５２】
１０  地熱発電システム
１１  生産井
１２  セパレータ
１３  還元井
１４  蒸気タービン
１５  発電機
１６  復水器
１７  冷却塔
１８  熱水取出し流路
１９  流量調節弁
２０  蒸気流路
２１  還流路
２２  復水流路
２３  ポンプ
２４  送風機
２５  ローターシャフト
２６  動翼
２７  ケーシング
２８  ノズル翼
２８ａ初段ノズル翼
２９  蒸気入口
３０  カバーノズル
３０ａ胴部
３０ｂ受部
４０  ストッパ
４１  誤動作防止ストッパ
【図１】
2014125964.tif 000003
【図２】
2014125964.tif 000004
【図３】
2014125964.tif 000005
【図４】
2014125964.tif 000006
【図５】
2014125964.tif 000007
【図６】
2014125964.tif 000008
【図７】
2014125964.tif 000009
【図８】
2014125964.tif 000010
【図９】
2014125964.tif 000011
【図１０】
2014125964.tif 000012
【図１１】
2014125964.tif 000013
【図１２】
2014125964.tif 000014
【図１３】
2014125964.tif 000015
【図１４】
2014125964.tif 000016
【図１５】
2014125964.tif 000017
【図１６】
2014125964.tif 000018
【図１７】
2014125964.tif 000019
【図１８】
2014125964.tif 000020
【図１９】
2014125964.tif 000021